(57)【要約】　【課題】客観的な情報である客観情報の提供を自動的に行なうとともに、客観情報の提供により得られる報酬を大きくするペイバックシステムを提供する。　【解決手段】ペイバックシステムは、複数の通信端末６００と複数の情報処理装置６０３とにより構成される。情報処理装置６０３は通信端末装置６００へ、客観情報の送信に対して与える報酬を示す報酬期待情報を送信し、通信端末装置６００は、報酬期待情報を参照して、所定の基準にしたがって客観情報の送信相手を決定し、その送信相手に客観情報を送信して、報酬を受け取る。【選択図】図６
2004094932.tif 000002
【特許請求の範囲】
【請求項１】
客観的な情報である客観情報を取得する客観情報取得手段と、
　前記客観情報を送信する客観情報送信手段と、
　前記送信された客観情報に対する報酬に関する情報である報酬情報を受信する報酬情報受信手段と、
　を備える通信端末装置。
【請求項２】
客観情報の送信に対して得られる報酬の内容を示した報酬期待情報を受信する報酬期待情報受信手段と、
　客観情報を送信する相手である送信相手を決定するための基準となる送信相手決定基準を保持する送信相手決定基準保持手段と、
　前記報酬期待情報と送信相手決定基準保持手段に保持された送信相手決定基準とに基づいて送信相手を決定する客観情報送信相手決定手段と、
　を備える請求項１に記載の通信端末装置。
【請求項３】
報酬期待情報受信手段は、報酬期待情報を、送信相手の候補である送信相手候補を識別する情報である送信相手候補識別情報と関連付けて受信し、
　客観情報送信相手決定手段は、送信相手候補識別情報で識別される送信相手候補ごとに決定をする請求項２に記載の通信端末装置。
【請求項４】
前記客観情報送信相手決定手段は、
　送信相手候補が複数ある場合に送信相手を一にのみ絞り込む絞込判定基準を保持する絞込判定基準保持器と、
　絞込判定基準保持器に保持された絞込判定基準に基づいて送信相手を一にのみ絞り込む絞込器と、
　を有する請求項３に記載の通信端末装置。
【請求項５】
絞込判定基準保持器に保持された絞込判定基準は、前記報酬期待情報にて示される報酬が最も大きい送信相手候補を一の送信相手として絞り込むための判定基準である請求項４に記載の通信端末装置。
【請求項６】
客観情報に対する報酬の内容を示した情報である報酬期待情報を取得する報酬期待情報取得手段と、
　報酬期待情報取得手段で取得された報酬期待情報を、自身を識別する情報である識別情報と関連付けて送信する報酬期待情報送信手段と、
　客観情報を受信する客観情報受信手段と、
　前記客観情報に対する報酬を算出する報酬算出手段と、
　報酬算出手段により算出された報酬に関する情報である報酬情報を送信する報酬情報送信手段と、
　を備える情報処理装置。
【請求項７】
前記報酬期待情報取得手段にて取得される報酬期待情報は、客観情報の属性である客観情報属性値と関連付けて報酬の内容を示す情報である請求項６に記載の情報処理装置。
【請求項８】
前記客観情報属性値は、客観情報が、事故の情報であることを示す値、天候に関する情報を示す値、災害の情報であることを示す値、交通の渋滞状況の情報であることを示す値、経済の情報であることを示す値、客観情報が取得されるべき地理情報を示す値、の中から選ばれた一又は二以上の組み合わせを含む請求項７に記載の情報処理装置。
【発明の詳細な説明】
【技術分野】
【０００１】
　本発明は、情報提供者である通信端末装置に対し、提供された情報に応じた報酬を情報処理装置から与えるペイバックシステムに関する。
【背景技術】
【０００２】
　従来、ペイバックシステムとして、例えば特許文献１として挙げるものが知られている。このペイバックシステムは、（１）利用者による情報の入力と出力が可能な利用者端末と、（２）各種制御情報を蓄積し、発行元の命令に基づいて情報の検索、更新、追加、削除を行なう情報蓄積流通装置と、（３）各種データをファイルやデータベースなどに永続的に格納するデータ処理装置と、（４）情報作成者に利益を還元する手段を備えた価値還元装置と、から構成されている。
【特許文献１】特開２００２−６３２８６号公報
【発明の開示】
【発明が解決しようとする課題】
【０００３】
　しかしながら、従来のペイバックシステムにおいては、情報提供者は、情報を手動で入力し、手動で送信を行なう必要があった。また、還元される利益は情報の提供後に決まるため、情報の送信時にどれだけの利益が得られるのかが不明であり、得られる利益の客観的な評価指標もなく、情報提供者があらかじめどれだけの利益が還元されるかを予測することができず、情報の提供を促進させることができないと考えられる。
【０００４】
　本発明は、このような従来の課題を解決するものであり、その目的は、通信端末装置からの情報の提供をその利用者が意識すること無しに自動的に行ない、報酬の獲得を自動的に行なう点にある。また、情報の提供に対する報酬に関する情報である報酬期待情報を情報処理装置から通信端末装置へ送信し、通信端末装置は、情報を送信するかどうかを報酬期待情報に基づいて判断するペイバックシステムを提供する点にもある。
【課題を解決するための手段】
【０００５】
　この課題を解決するために、本発明に係る通信端末装置は、客観的な情報である客観情報を取得する客観情報取得手段と、客観情報を送信する客観情報送信手段と、この送信された客観情報に対する報酬に関する情報である報酬情報を受信する報酬情報受信手段とを備えている。
【０００６】
　これによって、通信端末装置が客観情報を自動的に計測して送信するため、その利用者は煩わしい操作無しに報酬が得られ、各種のサービスを提供できるようになる。
【０００７】
　また、情報処理装置が報酬期待情報を送信してもよい。この場合、通信端末装置は、複数の情報処理装置から報酬期待情報を受信し、受信した報酬期待情報に基づいて客観情報を送信する送信相手を決定するようになっていてもよい。
【０００８】
　これにより情報処理装置の間で客観情報の獲得について競争が発生し、通信端末装置の利用者がより多くの報酬を得られることになる。
【発明の効果】
【０００９】
　以上のように本発明によれば、通信端末装置からの客観情報の提供が、その利用者が意識することなく行なわれる。また、複数の提供先から提示される報酬期待情報に基づいて、有利な提供先へ客観情報を提供することになるので、通信端末装置の利用者はより多くの報酬が得られる。
【発明を実施するための最良の形態】
【００１０】
　以下、本発明の実施形態について、図を用いて説明する。なお、本発明は、これら実施の形態に何ら限定されるものではなく、その要旨を逸脱しない範囲において、種々なる態様で実施し得る。
【００１１】
　なお、以下に説明する実施形態と請求項との対応を示すと次のようになる。
【００１２】
　実施形態１は、主に請求項１に対応する。
【００１３】
　実施形態２は、主に請求項２に対応する。
【００１４】
　実施形態３は、主に請求項３に対応する。
【００１５】
　実施形態４は、主に請求項４に対応する。
【００１６】
　実施形態５は、主に請求項５に対応する。
【００１７】
　実施形態６は、主に請求項６、７、８に対応する。
【００１８】
　（実施形態１）
　図１は、本発明の実施形態１の概要を示す。図１において、本実施形態のペイバックシステムは、複数の通信端末１００と、センターサーバである情報処理装置１０３と、ネットワーク１０２により情報処理装置１０３と通信可能な基地局１０１とから構成される。
【００１９】
　通信端末装置１００から提供される情報は、基地局１０１により受信され、ネットワーク１０２を介して情報処理装置１０３へ送信される。また、情報処理装置１０３は、受信した情報に対する報酬を、その情報の送信元である通信端末装置へネットワーク１０２、基地局１０１、を経由して送信する。
【００２０】
　なお、通信端末装置１００から提供される情報は、通信端末装置１００の利用者の主観に依存しない情報である（「客観情報」と呼ぶことにする）。例えば、通信端末装置１００の周囲の気温、湿度、気圧、降雨量、紫外線の強さ、花粉の量、粉塵の量、有毒ガスの濃度、騒音の量、特定の場所から特定の場所へ移動するのに必要な時間、電車の車両の乗車人数、撮影された画像、などがある。撮影された画像としては、事故や災害の写真画像、有名人の写真画像などがある。
【００２１】
　図２は、通信端末装置と情報処理装置との間で行なわれる情報の送受信の様子を示すシーケンス図である。
【００２２】
　ステップＳ２０１において、通信端末装置が客観情報を取得する。客観情報の取得は、所定時間の経過ごとに行なわれたり、前回の客観情報が取得された場所より所定の距離移動したことが検出されたときに行なわれたり、あるいは、通信端末装置に対する操作（例えば、筐体を開ける操作、各種センサのカバーをはずす操作など）により行なわれる。
【００２３】
　ステップＳ２０２において、通信端末装置から情報処理装置へ客観情報が送信される。なお、客観情報の送信は、客観情報の取得の直後に行なわれてもよい。あるいは、客観情報が取得されると、客観情報がメモリなどに蓄積され、しばらく時間が経過してから客観情報が送信されるようになっていてもよい。このように客観情報を蓄積することにより、客観情報をまとめて送信し通信のコストを下げたりすることができる。
【００２４】
　ステップＳ２０３において、情報処理装置は、通信端末装置から送信された客観情報に対する報酬に関する情報である報酬情報を送信する。報酬には、例えば、電子マネーなどの金銭や商店での買い物の割引ポイントがある。また、通信端末装置にダウンロードして動作するプログラムがある。例えば、通信端末装置に付属のハードウェアを利用するプログラムがあり、このようなプログラムにより通信端末装置の利用できる機能の範囲が広がる。また、通信端末装置や他のサーバ装置の機能の制限を解除するデータ（例えば、パスワードなど）が報酬情報となっていてもよい。
【００２５】
　（実施形態１：通信端末装置の構成）
　図３は、本実施形態に係る通信端末装置の機能ブロック図を例示する。通信端末装置３００は、客観情報取得手段３０１と、客観情報送信手段３０２と、報酬情報受信手段３０３と、を備える。
【００２６】
　「客観情報取得手段」３０１は、客観的な情報である客観情報を取得する。例えば、気温センサ、湿度センサ、気圧センサ、降雨センサ、花粉量センサ、粉塵量センサ、有毒ガスセンサ、騒音センサ、ＣＣＤカメラ、通信端末装置が設置された移動体のセンサより客観情報を取得する。
【００２７】
　「客観情報送信手段」３０２は、前記客観情報を送信する。「前記客観情報」とは、客観情報取得手段３０１で取得された客観情報である。なお、客観情報を送信する際には、客観情報がどの場所で取得されたものであるか、客観情報がどの種類に関するものであるか、などを示す情報属性情報と関連付けて客観情報が送信されてもよい。また、客観情報を取得した通信端末装置を識別する識別情報と関連づけて送信されてもよい。
【００２８】
　「報酬情報受信手段」３０３は、報酬情報を受信する。「報酬情報」とは、前記送信された客観情報に対する報酬に関する情報である。ここに「前記送信された客観情報」とは、客観情報送信手段３０２により送信された客観情報を意味する。
【００２９】
　図４は、通信端末装置のハードウェア構成の一例を示す。ＣＣＤカメラ４０１、温度センサ４０２、湿度センサ４０３などの客観情報を取得するためのセンサと、ＧＰＳ（Ｇｌｏｂａｌ　Ｐｏｓｉｔｉｏｎｉｎｇ　Ｓｙｓｔｅｍ）などによる位置センサ４０４が、制御装置４０５に接続されている。また、制御装置４０５には、通信機４０６、表示装置４０７、キー操作装置４０８、記憶装置４０９などが接続されている。
【００３０】
　制御装置４０５の中では、例えば、プログラムが動作し、そのプログラムは、ＣＣＤカメラ４０１、温度センサ４０２、湿度センサ４０３の示す値を読み取ることにより客観情報を取得する。また、現在の位置を示す情報である位置情報を位置センサ４０４により取得し、客観情報に位置情報を関連付けて、通信機４０６を通じて客観情報を送信する。また、通信機４０６を通じて報酬情報を受信し、記憶装置４０９に記憶する。なお、位置センサは、上で述べたようにＧＰＳで位置情報を取得してもよいが、例えば、無線通信の基地局を検出することにより位置情報を取得してもよい。また、移動体に通信端末装置が設置されている場合には、移動体より位置情報を取得してもよいし、自宅のパーソナルコンピュータにケーブルにより接続されていることが検出された場合には、自宅の位置を示す位置情報を取得するようになっていてもよい。
【００３１】
　キー操作装置４０８は、通信端末装置４００を操作するためのキー操作を検出するためのものであり、また、表示装置は、キー操作の結果を表示したり、取得した報酬情報を表示したりする。
【００３２】
　記憶装置４０９は、情報を蓄積する。例えば、客観情報を一時的に蓄積する。また、通信端末装置を識別する情報を蓄積する。この通信端末装置を識別する情報は、客観情報とともに送信されてもよい。このようにすることにより、客観情報が、どの通信端末装置から送られたかを情報処理装置が知ることができ、例えば、客観情報を送信する頻度に応じて報酬情報を大きくすることが可能となる。また、記憶装置は、受信した報酬情報を管理するために蓄積する。
【００３３】
　（実施形態１：通信端末装置の処理）
　図５は、本実施形態に係る通信端末装置の処理を説明するフローチャートを例示する。
【００３４】
　ステップＳ５０１において、客観情報取得手段３０１により、客観情報を取得する。
【００３５】
　ステップＳ５０２において、客観情報送信手段３０２により、客観情報を送信する。
【００３６】
　ステップＳ５０３において、報酬情報受信手段３０３により、報酬情報を受信する。
【００３７】
　通信端末装置は、所定の時間が経過したり、場所の移動が検出されたりすると、図５に例示された処理を行なう。
【００３８】
　（実施形態１：主な効果）
　本実施形態により、客観情報を自動的に計測して送信し、それに対する報酬を受信する通信端末装置が提供されるため、各種のサービスを通信端末装置の利用者に提供したり、客観情報を広範囲に集めたりすることが可能となる。
【００３９】
　（実施形態２）
　図６は、本発明の実施形態２の概要を示す。図６において、本実施形態のペイバックシステムは、複数の通信端末６００と、複数の情報処理装置６０３と、ネットワーク６０２により情報処理装置６０３と通信可能な基地局６０１と、から構成される。また、複数の情報処理装置６０３のそれぞれは、異なる情報提供会社などの異なる運営主体により運営されているとする。
【００４０】
　それぞれの情報処理装置６０３は、通信端末装置６００に対して、客観情報の送信に対して提供する報酬に関する情報を送信する。
【００４１】
　例えば、通信端末装置６００が自動車に搭載され、客観情報としてＣＣＤカメラなどにより画像を自動的に取得するとする。このような場合、それぞれの情報処理装置６０３は、ある場所で事故や災害が発生したとき、その事故や災害の発生した場所及び時刻にて撮影された画像に、どれだけの報酬を与えるかを示す情報を通信端末装置６００へ送信する。通信端末装置６００は、その事故や災害が発生した場所で画像を撮影していた場合に、各情報処理装置６０３から受信した報酬に関する情報を比較などして、例えば、最も報酬が大きい情報処理装置へ画像を送信する。
【００４２】
　これにより、情報処理装置の運営主体間で客観情報の獲得に関して競争が発生し、通信端末の所持者にとって有利な報酬の体系が作られることが期待できる。
【００４３】
　図７は、通信端末装置と情報処理装置との情報の送受信の様子を示すシーケンス図である。
【００４４】
　ステップＳ７０１において、通信端末装置が客観情報を取得する。例えば、カメラ装置などにより得られる画像を定期的に取得する。
【００４５】
　ステップＳ７０２、Ｓ７０３のそれぞれにおいて、情報処理装置Ａ、情報処理装置Ｂが報酬期待情報を送信する。ここに、「報酬期待情報」とは、客観情報の送信に対して得られる報酬の内容を示した情報である。
【００４６】
　通信端末装置が報酬期待情報を複数の情報処理装置から取得すると、報酬期待情報の報酬の対象となる客観情報を保持しているかどうかを判断し、報酬の対象となる客観情報を保持していると判断したならば、報酬期待情報を比較し、客観情報の送信先である送信相手を決定する。
【００４７】
　決定された送信相手が情報処理装置Ａであれば、ステップＳ７０４において、客観情報を情報処理装置Ａへ送信する。
【００４８】
　ステップＳ７０５において、情報処理装置Ａは、送信された客観情報に対する報酬情報を送信する。
【００４９】
　（実施形態２：通信端末装置の構成）
　図８は、本実施形態に係る通信端末装置の機能ブロック図を例示する。図８と図３とを対比すれば判るように、本実施形態に係る通信端末装置８００の構成は、実施形態１に係る通信端末装置３００が、報酬期待情報受信手段８０１と、送信相手決定基準保持手段８０２と、客観情報送信相手決定手段８０３と、を備えている構成である。
【００５０】
　「報酬期待情報受信手段」８０１は、客観情報の送信に対して得られる報酬の内容を示した報酬期待情報を受信する。
【００５１】
　図９は、報酬期待情報受信手段８０１が受信する報酬期待情報を表の形式で表わした例を示す。列９０１には、客観情報が取得された地域が緯度と経度により示されたデータが格納され、列９０２には、客観情報の種類が格納され、列９０３には、報酬期待値が格納されている。この表により、例えば、北緯３２．０°から３２．２°、東経１３０．０°から１３０．２°の温度に対して１０という値で示される報酬が与えられることが表わされる。
【００５２】
　「送信相手決定基準保持手段」８０２は、客観情報を送信する相手である送信相手を決定するための基準である送信相手決定基準を保持する。例えば、客観情報を送信するための報酬期待値の条件を保持する。
【００５３】
　図１０は、送信相手決定基準を表の形式で表わした例を示す。列１００１には、客観情報の種類が格納され、列１００２には、客観情報を送信するための条件を保持する。例えば、種類が温度の客観情報は、報酬期待情報が９ポイント以上であれば、送信することが表現されている。
【００５４】
　なお、送信相手決定基準は、報酬期待情報にのみ依存するように表現されている必要はなく、情報処理装置の運営主体が誰であるかにも依存するように表現されていてもよい。また、送信相手決定基準は、送信相手となるかどうかを報酬期待情報などに基づいて決定するプログラムにより表現されていてもよい。
【００５５】
　「客観情報送信相手決定手段」８０３は、前記報酬期待情報と送信相手決定基準保持手段８０２に保持された送信相手決定基準とに基づいて送信相手を決定する。「前記報酬期待情報」とは、報酬期待情報受信手段８０１で受信された報酬期待情報である。
【００５６】
　したがって、客観情報送信相手決定手段は、報酬期待情報受信手段で受信された報酬期待情報に、送信相手決定基準保持手段で保持された送信相手決定基準を適用して送信相手を決定する。例えば、報酬期待情報が図９の形式で表わされて受信され、送信相手決定基準が図１０で表わされている場合には、図９の報酬期待情報の送信元を、北緯３２．０°から３２．２°、東経１３０．０°から１３０．２°の温度については、客観情報を送信する送信相手と決定する。
【００５７】
　（実施形態２：通信端末装置の処理）
　図１１は、本実施形態に係る通信端末装置の処理のフローチャートを例示する。
【００５８】
　ステップＳ１１０１において、報酬期待情報受信手段８０１により受信された報酬期待情報を取得する。例えば、報酬期待情報受信手段８０１で受信された報酬期待情報を、その受信のときに取得する。あるいは、報酬期待情報受信手段８０１で受信された報酬期待情報が一旦蓄積され、蓄積されたものを読み出すことにより取得する。
【００５９】
　ステップＳ１１０２において、客観情報取得手段３０１により、客観情報を取得する。
【００６０】
　ステップＳ１１０３において、客観情報送信相手決定手段８０３により、送信相手決定基準保持手段８０２に保持された送信相手決定基準を取得する。
【００６１】
　ステップＳ１１０４において、客観情報送信相手決定手段８０３により、送信相手を決定する。
【００６２】
　ステップＳ１１０５において、客観情報送信手段３０２により、客観情報を送信相手へ送信する。
【００６３】
　通信端末装置８００は、例えば、報酬期待情報を受信したときに、あるいは、客観情報を取得する条件が成立したときなどに、図１１のフローチャートの処理を行なう。
【００６４】
　（実施形態２：主な効果）
　本実施形態により、客観情報に対するオークションに相当する処理が実現され、情報処理装置の間で客観情報の獲得に関して競争が発生し、通信端末装置に対する報酬が大きくなるなど、通信端末装置の利用者の利益になることの実現が期待できる。
【００６５】
　（実施形態３）
　本発明の実施形態３として、客観情報の送信相手の候補ごとに送信するかどうかを決定する通信端末装置について説明する。
【００６６】
　（実施形態３：構成）
　本実施形態に係る通信端末装置の機能ブロック図は、実施形態２に係る通信端末装置と同じである。
【００６７】
　ただし、以下の点が実施形態２に係る通信端末装置と異なる。すなわち、報酬期待情報受信手段８０１は、報酬期待情報を、送信相手候補識別情報と関連付けて受信する。ここに「送信相手候補識別情報」とは、送信相手の候補である送信相手候補を識別する情報である。例えば、客観情報を送信する情報処理装置のＦＱＤＮ（Ｆｕｌｌ　Ｑｕａｌｉｆｉｅｄ　Ｄｏｍａｉｎ　Ｎａｍｅ）、ＩＰアドレス、電話番号などである。
【００６８】
　また、本実施形態においては、客観情報送信相手決定手段８０３は、送信相手候補識別情報で識別される送信相手候補ごとに決定を行なう。
【００６９】
　図１５は、本実施形態において、客観情報送信相手決定手段８０３が送信相手を決定するために用いるデータ構造を例示する。
【００７０】
　（実施形態３：客観情報送信相手決定手段における処理の例）
　図１５の上に例示された表の列１５０１には、送信相手候補識別情報が格納され、列１５０２には、送信相手候補識別情報が提示した報酬期待情報が格納された表へのポインタが格納されている。このポインタは、報酬期待情報受信手段が受信した報酬期待情報と、送信相手候補識別情報と、の関連付けを表わす。図１５では、情報処理装置Ａという送信相手候補識別情報は表１５０３の報酬期待情報と関連付けて受信され、情報処理装置Ｂは表１５０４の報酬期待情報と関連付けて受信されたことになっている。
【００７１】
　この場合、客観情報送信相手決定手段８０３は、客観情報取得手段３０１で取得された客観情報が取得された位置、時間、また、客観情報の種類を参照し、送信相手候補識別情報のそれぞれに対して客観情報を送信するべきかどうかを判断する。　　　
【００７２】
　例えば、客観情報が、１４０．０°Ｅ、３８．５°Ｎ、２００３年７月１日１９：００に取得された画像であり、送信相手決定基準が、１０５ポイント以上の報酬であれば客観情報を送信することを定めている場合には、図１６に例示されるように、情報処理装置Ａに対しては「送信しない」と決定し、情報処理装置Ｂに対しては、「送信する」と決定を行なう。
【００７３】
　図１７は、客観情報送信相手決定手段における処理のフローチャートを例示する。
【００７４】
　ステップＳ１７０１において、未処理の送信相手候補識別情報が存在するかどうかを判断する。なお、「未処理の送信相手候補識別情報」とは、ステップＳ１７０２からＳ１７０４までの処理が行なわれていない送信相手候補識別情報を意味する。
【００７５】
　もし、未処理の送信相手候補識別情報が存在すれば、ステップＳ１７０２へ移行し、そうでなければ、処理を終了する。
【００７６】
　ステップＳ１７０２において、送信相手候補識別情報を取り出す。
【００７７】
　ステップＳ１７０３において、取り出された送信相手候補識別情報に関連付けられている報酬期待情報を取得する。例えば、図１５の列１５０２に格納されたポインタをたどり報酬期待情報を取得する。
【００７８】
　ステップＳ１７０４において、ステップＳ１７０３で取得された報酬期待情報と送信相手決定基準などとに基づいて、ステップＳ１７０２で取り出された送信相手候補識別情報が、客観情報の送信相手となるかどうかを決定する。その後ステップＳ１７０１へ戻る。
【００７９】
　（実施形態３：主な効果）
　本実施形態においては、受信された報酬期待情報それぞれに対して、客観情報を送信するかどうかを決定するので、複数の報酬期待情報の中から、有利なものを選択することができ、通信端末装置の利用者に利益をもたらすことができる。
【００８０】
　（実施形態４）
　本発明の実施形態４として、送信相手を一つに絞り込む通信端末装置について説明する。
【００８１】
　（実施形態４：通信端末装置の構成）
　図１８は、本実施形態に係る通信端末装置の機能ブロック図を例示する。通信端末装置１８００の構成は、実施形態３の通信端末装置の客観情報送信相手決定手段８０３が、絞込判定基準保持器１８０１と、絞込器１８０２と、を有する構成となっている。
【００８２】
　「絞込判定基準保持器」１８０１は、送信相手候補が複数ある場合に送信相手を一つに絞り込む絞込判定基準を保持する。絞込判定基準としては、例えば「複数の送信相手のうち、最も遅く報酬期待情報を送信したものを選ぶ」というものがある。このような絞込判定基準により、絞込まれた送信相手は最新の報酬期待情報を提示したことになり、報酬期待情報を通信端末装置が受信した後で更新されている場合が少ないと判断され、報酬期待情報で示された通りの報酬が得られることを確実にすることができる。
【００８３】
　「絞込器」１８０２は、絞込判定基準保持器１８０１で保持された絞込判定基準に基づいて送信相手を一にのみ絞り込む。
【００８４】
　（実施形態４：通信端末装置の処理）
　図１９は、本実施形態に係る通信端末装置１８００の客観情報送信相手決定手段８０３と客観情報送信手段３０２との処理のフローチャートを例示する。
【００８５】
　ステップＳ１９０１において、送信相手が一つだけかどうかを判断する。もし、送信相手が一つだけであれば、処理をステップＳ１９０２に移行させ、その送信相手に客観情報を送信する。
【００８６】
　ステップＳ１９０１において、もし送信相手が複数あれば、処理をステップＳ１９０３に移行させ、絞込判定基準保持器１８０１に保持されている絞込判定基準を取得する。
【００８７】
　次にステップＳ１９０４において、絞込器１８０２において、絞込判定基準を用いて送信相手を一にのみ絞り込む。
【００８８】
　最後に、ステップＳ１９０５において、絞込まれた送信相手に客観情報を送信する。
【００８９】
　（実施形態４：主な効果）
　本実施形態により、送信相手が一にのみ絞り込まれるので、同じ客観情報が複数の情報処理装置に送信されることがなくなり、客観情報の希少価値が高まり、通信端末装置の利用者が、より大きい報酬を得ることが可能となる。
【００９０】
　（実施形態５）
　本発明の実施形態５として、実施形態４に係る通信端末装置において、絞込判定基準保持器に保持された絞込判定基準が、報酬期待情報にて示される報酬が最も大きい送信相手候補を一の送信相手として絞り込むための判定基準となっている場合について説明する。
【００９１】
　すなわち、本実施形態においては、絞込判定基準保持器は、報酬期待情報が示す報酬が最も大きい情報処理装置を選択する基準を保持し、絞込器は、このような基準にしたがって、報酬の最も大きい情報処理装置を選択する。報酬がポイントや金銭の額などの数値で表わされていれば、報酬の大小の比較は数値の大小の比較で行なう。もし、報酬がプログラムである場合には、そのプログラムで実現される機能を数値化したものの大小の比較などにより、報酬の大小の比較を行なう。例えば、プログラムが有効に動作する期間の長さ、プログラムが扱えるデータの大きさの制限値、などにより、プログラムで実現される機能を数値化して、報酬の大小を比較する。
【００９２】
　なお、報酬の大きさが等しく、絞込判定基準によっては、送信相手候補を一に絞り込むことができない場合には、例えば、ランダムに一の送信相手候補を選択する。あるいは、複数に絞り込まれた複数の送信相手候補をそのまま選択し、複数の送信相手に送信するようになっていてもよい。
【００９３】
　（実施形態５：主な効果）
　本実施形態により、報酬が最も大きいと期待される送信相手に客観情報が送信されるので、得られる報酬を最大化することができる。
【００９４】
　（実施形態６）
　本発明の実施形態６として、情報処理装置を説明する。この情報処理装置は、例えば、実施形態３などに係る通信端末装置に対応する。
【００９５】
　（実施形態６：情報処理装置の構成）
　図１２は、本実施形態に係る情報処理装置の機能ブロック図を例示する。情報処理装置１２００は、報酬期待情報取得手段１２０１と、報酬期待情報送信手段１２０２と、客観情報受信手段１２０３と、報酬算出手段１２０４と、報酬情報送信手段１２０５と、を有する。
【００９６】
　「報酬期待情報取得手段」１２０１は、客観情報に対する報酬の内容を示した情報である報酬期待情報を取得する。例えば、ハードディスクなどの記憶装置に記憶された報酬期待情報を取得する。あるいは、情報処理装置に接続されたキーボードなどから入力された報酬期待情報を取得する。
【００９７】
　なお、報酬期待情報取得手段１２０１により取得される報酬期待情報は、客観情報属性値と関連付けて報酬の内容を示す情報であってもよい。ここに「客観情報属性値」とは、客観情報の属性である。客観情報の属性としては、例えば、客観情報の種類や客観情報が取得されるべき地理情報（例えば、経度と緯度、あるいは地名）を挙げることができる。
【００９８】
　また、客観情報の種類を示す客観情報属性値としては、客観情報が事故の情報であることを示す値、天候に関する情報を示す値、災害の情報であることを示す値、交通の渋滞状況の情報であることを示す値、経済の情報であることを示す値、などがある。
【００９９】
　「客観情報が事故の情報である」とは、客観情報が事故に関する情報であることを意味し、例えば、事故現場を撮影した画像情報、事故現場の音声の情報、事故現場に集まった野次馬の数、などがある。
【０１００】
　「客観情報が天候に関する情報である」とは、客観情報が気象現象に関する情報であることを意味する。例えば、客観情報が、気温、湿度、気圧、降雨量を示す場合が含まれる。また、気象現象そのものでなく、気象現象が引き起こす他の現象を示す情報である場合も含まれる。例えば、雨傘が開いているかどうか、自動車などの車両のワイパーが動作しているかどうか、霧などのためにフォグランプが点灯しているか、を示す情報である場合も含まれる。
【０１０１】
　「客観情報が災害の情報である」とは、客観情報が災害に関する情報であることを意味する。例えば、洪水の水深、雪崩の際の音の大きさ、土砂崩れの画像、を示す場合が含まれる。
【０１０２】
　「客観情報が交通の渋滞状況の情報である」とは、客観情報が交通の渋滞に関する情報であることを意味する。例えば、道路を撮影して得られる画像であって混雑の程度を示す画像、時速１５キロメートル以下で継続して移動または停止している時間の長さ、渋滞の列の長さ、特定の場所から別の特定の場所へ移動するのに必要な時間、などを示す場合が含まれる。
【０１０３】
　「客観情報が経済の情報である」とは、客観情報が経済状況に関する情報であることを意味する。例えば、特定の企業の株価や業績、株式市場での平均株価、為替レート、長期あるいは短期の金利などを示す場合が含まれる。
【０１０４】
　また、以上において例示された値の中から選ばれた一または二以上の組み合わせを客観情報属性値として用いてもよい。
【０１０５】
　「報酬期待情報送信手段」１２０２は、報酬期待情報取得手段１２０１で取得された報酬期待情報を、自身を識別する情報である識別情報と関連付けて送信する。例えば、図９に例示される表により表わされた報酬期待情報を、情報処理装置１２００の識別情報と関連付けて送信する。識別情報の例としては、情報処理装置のＦＱＤＮ、ＩＰアドレス、電話番号などがある。
【０１０６】
　「客観情報受信手段」１２０３は、客観情報を受信する。受信される客観情報には、客観情報の種類、客観情報が取得された位置などを示す属性情報が関連づけられていてもよい。
【０１０７】
　「報酬算出手段」１２０４は、前記客観情報に対する報酬を算出する。「前記客観情報」とは、客観情報受信手段１２０３が受信した客観情報である。報酬算出手段１２０４は、例えば、報酬期待情報取得手段１２０１で取得された報酬期待情報を客観情報に適用して報酬を算出する。あるいは、情報処理装置に客観情報が表示され、その表示に基づいて入力される評価点に基づいて報酬が算出されてもよい。
【０１０８】
　「報酬情報送信手段」１２０５は、報酬算出手段１２０４により算出された報酬に関する情報である報酬情報を送信する。
【０１０９】
　図１３は、情報処理装置のハードウェア構成の一例を示す。情報処理装置１３００は、通信機１３０１、記憶装置１３０２、表示装置１３０３、キー操作装置１３０４が制御装置１３０５に接続されて構成されている。
【０１１０】
　通信機１３０１は、報酬期待情報を送信したり、客観情報を受信したり、報酬情報を受信するなどのために使用される。記憶装置１３０２は、報酬期待情報を蓄積したり、受信した客観情報を蓄積したりするために使用される。表示装置１３０３、キー操作装置１３０４は、客観情報を表示し、客観情報の評価点を入力するためなどに使用される。
【０１１１】
　制御装置１３０５は、通信機１３０１、記憶装置１３０２、表示装置１３０３、キー操作装置１３０４の動作を制御するプログラムを動作するなどして実現される。
【０１１２】
　（実施形態６：情報処理装置の処理）
　図１４は、本実施形態に係る情報処理装置の処理を説明するフローチャートを例示する。
【０１１３】
　ステップＳ１４０１において、報酬期待情報送信手段１２０２により、報酬期待情報を送信する。
【０１１４】
　ステップＳ１４０２において、客観情報受信手段１２０３により、客観情報が受信できたかどうかを判断する。例えば、一定の時間を設定しておき、その時間内に客観情報が受信できたかどうかを判断する。もし、受信できれば、ステップＳ１４０３へ処理を移行する。そうでなければ、処理を終了する。
【０１１５】
　ステップＳ１４０３において、報酬算出手段１２０４により、客観情報に対する報酬を算出する。
【０１１６】
　ステップＳ１４０４において、報酬情報送信手段１２０５により、報酬情報を送信する。
【０１１７】
　情報処理装置は、例えば、所定の時間が経過するごとに、あるいは、報酬期待情報が入力、あるいは変更されるごとに図１４の処理を行なう。
【０１１８】
　なお、図１４では、報酬期待情報を送信するごとに客観情報を受信する処理が記述されているが、報酬期待情報を送信する処理と、客観情報を受信して報酬情報を送信する処理と、が別のプロセス、タスク、スレッドなどにより独立して行なわれるようになっていてもよい。
【０１１９】
　また、ステップＳ１４０２において、客観情報が受信できなかった場合、客観情報を受信できなかった旨を表示装置に表示してもよい。また、報酬期待情報が蓄積されている場合には、報酬期待情報を変更するようになっていてもよい。例えば、報酬期待値を大きくするように変更を行なう。
【０１２０】
　（実施形態６：主な効果）
　本実施形態においては、客観情報を受信するために報酬期待情報を通信端末装置に送信するので、情報処理装置の間で競争が生じ、通信端末装置の利用者に有利になるように報酬が決定されることになる。
【産業上の利用可能性】
【０１２１】
　本発明に係る通信端末装置及び情報処理装置においては、通信端末装置からの客観情報の提供が、その利用者が意識することなく行なわれ、また、複数の提供先から提示される報酬期待情報に基づいて、有利な提供先へ客観情報を提供することになるので、通信端末装置の利用者はより多くの報酬が得られ、ペイバックシステムなどに用いるのに有用である。
【図面の簡単な説明】
【０１２２】
【図１】本発明の実施形態１の概要を例示する図
【図２】本発明の実施形態１における通信端末装置と情報処理装置との間の情報の送受信のシーケンス図
【図３】本発明の実施形態１に係る通信端末装置の機能ブロック図
【図４】通信端末装置のハードウェア構成の一例図
【図５】本発明の実施形態１に係る通信端末装置の処理のフローチャート
【図６】本発明の実施形態２の概要を例示する図
【図７】本発明の実施形態２における通信端末装置と情報処理装置との間の情報の送受信のシーケンス図
【図８】本発明の実施形態２に係る通信端末装置の機能ブロック図
【図９】報酬期待情報の一例図
【図１０】送信相手決定基準の一例図
【図１１】本発明の実施形態２に係る通信端末装置の処理のフローチャート
【図１２】本発明の実施形態６に係る情報処理装置の機能ブロック図
【図１３】情報処理装置のハードウェア構成の一例図
【図１４】本発明の実施形態６に係る情報処理装置の処理のフローチャート
【図１５】実施形態３において客観情報送信相手決定手段が送信相手を決定するために用いるデータ構造の一例図
【図１６】客観情報の送信相手の決定の結果を示す一例図
【図１７】本発明の実施形態３に係る情報処理装置の処理のフローチャート
【図１８】本発明の実施形態４に係る通信端末装置の機能ブロック図
【図１９】本発明の実施形態４に係る通信端末装置の処理のフローチャート
【符号の説明】
【０１２３】
　６００　通信端末装置
　６０１　基地局
　６０２　ネットワーク
　６０３　情報処理装置
【図１】
2004094932.tif 000003
【図２】
2004094932.tif 000004
【図３】
2004094932.tif 000005
【図４】
2004094932.tif 000006
【図５】
2004094932.tif 000007
【図６】
2004094932.tif 000008
【図７】
2004094932.tif 000009
【図８】
2004094932.tif 000010
【図９】
2004094932.tif 000011
【図１０】
2004094932.tif 000012
【図１１】
2004094932.tif 000013
【図１２】
2004094932.tif 000014
【図１３】
2004094932.tif 000015
【図１４】
2004094932.tif 000016
【図１５】
2004094932.tif 000017
【図１６】
2004094932.tif 000018
【図１７】
2004094932.tif 000019
【図１８】
2004094932.tif 000020
【図１９】
2004094932.tif 000021